(57)【要約】【課題】ケーブルウインチの使用寿命を延長できるケーブルウインチを提供する。【解決手段】ケーブルウインチ１は、ラチェット本体２、第一板状フレーム１２及び第二板状フレーム１３を備え、ラチェット本体２は２個の側板１１の間に枢設し、ラチェット本体２はピボットにより外方へ延長したアーム２１を設置し、第一板状フレーム１２及び第二板状フレーム１３の両端は２個の側板１１にそれぞれ連接し、これにより２個の側板１１と第一、第二板状フレーム１２、１３はラチェット本体２を取り囲んでフレーム１を形成し、第一板状フレーム１２の中央部には外向きに第一フック部材３を設置し、第一フック部材３のフック棒３１全体は単一のセグメントで構成する。これらの構造により、ケーブルウインチの強度を向上し、耐用年数を延長することが出来る。【選択図】図１
0003202439.tif 000002
【実用新案登録請求の範囲】
【請求項１】
ラチェット本体、第一板状フレーム及び第二板状フレームを備えるケーブルウインチであって、
該ラチェット本体は、２個の側板の間に枢設し、該ラチェット本体は、ピボットにより外方へ延長するアームを設置し、
該第一板状フレーム及び該第二板状フレームの両端は、該２個の側板にそれぞれ連接し、これにより該２個の側板と該第一、第二板状フレームはラチェット本体を取り囲んでフレームを形成し、該第一板状フレームの中央部には、外向きに、第一フック部材を設置し、かつ該第一フック部材のフック棒全体を単一のセグメントで構成したことを特徴とするケーブルウインチ。
【請求項２】
前記第一板状フレームの中央部には、平板部を形成し、
該第一フック部材のフック棒基部は、該平板部にリベット結合することを特徴とする請求項１に記載のケーブルウインチ。
【請求項３】
前記第一、第二板状フレームと該２個の側板の連接位置には、内から外へと突出する凸リブをそれぞれ設置することを特徴とする請求項２に記載のケーブルウインチ。
【請求項４】
前記第一、第二板状フレーム全体は、その両端部から中央部へと徐々に収斂するＵ形を呈することを特徴とする請求項３に記載のケーブルウインチ。
【請求項５】
前記ラチェット本体には、ケーブルの一方の端部を固定して巻き付き、設置され、
該ケーブルは、プーリーユニットを巻回して通って第二板状フレーム中央部に固定され、第二フック部材が、該プーリーユニットの外枠にリベット結合されることを特徴とする請求項２〜４のいずれかに記載のケーブルウインチ。
【考案の詳細な説明】
【技術分野】
【０００１】
本考案は、手動ケーブル引張工具に関し、特にケーブルウインチに関する。
【背景技術】
【０００２】
ケーブルウインチ（ｗｉｎｃｈ  ｐｕｌｌｅｒ）はドラム構造により、ケーブルを引っ張るものである。
これにより、手動で物体を引き上げる過程を省力し、或いは之により任意の負荷でケーブルを引張することができる。
一般に工場、自動車整備工場、或いはレッカー車等で多用される工具である。
【０００３】
人力には限界があるため、重量がある機器、或いはパーツを移動させる必要が有る場合には、ケーブルウインチはその牽引機能を発揮する。
これにより、操作者は重量のある物体を人力で運搬することによる傷害を回避でき、しかも人力操作に比べ時間と労力を節減できる。
そのため、ケーブルウインチは工業界で幅広く採用されている。
【０００４】
本案出願人が数年前に申請した特許文献１に記載する「ケーブルウインチの構造」は、ケーブルウインチを開示する。
それは、フレーム及び該フレーム内部に枢設されるラチェットアームユニットを有する。
該ケーブルの一端は、該フレーム底部に固定して設置され、その反対端は、該ラチェットアームユニットに固設し、該ラチェットが回転して巻き取ると、プーリーに巻き掛けられた該ケーブルは、該プーリーを引き寄せる。
該プーリーは、下フック部材を結合し、該フレーム頂端には、フック部材を設置する。
該フック部材により、固定位置或いはロープリングに掛けて設置され、該下フック部材を被牽引物に掛けてセットした後、該ラチェットアームユニットのアームを操作する。
該ラチェットアームユニットの作動を利用し、ラチェットを回して該ケーブル巻き取り、こうして被牽引物を吊り上げる。
【０００５】
しかし、該フレーム頂端のフック部材は、多数の構成部材が連接し、複数のセクションを有するため、被牽引物が重い、或いは該ケーブルウインチ全体が受ける張力が大きい時には、該フック部材の各構成部材或いは構成部材間の関節に変形或いは磨損が生じやすい。
これでは、作動効率が悪いばかりか、構成部材間が分断し、深刻な事故が生じる恐れがある。
すなわち、従来のケーブルウインチの構造強度には改善の余地がある。
本考案は、従来のケーブルウインチの上記した欠点に鑑みてなされたものである。
【先行技術文献】
【特許文献】
【０００６】
【特許文献１】台湾実用新案公告第１１３７０２号
【特許文献２】特表２００８−５４０２８５号公報
【考案の概要】
【考案が解決しようとする課題】
【０００７】
本考案が解決しようとする課題は、高い強度を備えるケーブルウインチを提供することである。
【課題を解決するための手段】
【０００８】
上記課題を解決するため、本考案は下記のケーブルウインチを提供する。
ケーブルウインチは、ラチェット本体、第一板状フレーム及び第二板状フレームを備え、
該ラチェット本体は、２個の側板の間に枢設し、該ラチェット本体は、ピボットにより、外へとアームを設置し、
該第一板状フレーム及び該第二板状フレームの両端は、該２個の側板にそれぞれ連接し、該２個の側板と該第一、第二板状フレームは該ラチェット本体を取り囲んでフレームを形成し、該第一板状フレームの中央部には、外向きに、第一フック部材を設置し、かつ、該第一フック部材のフック棒全体は、単一のセグメントで構成する。
該第一フック部材のフック棒全体は、単一のセグメントであるため、該ケーブルウインチの使用過程で、張力が過大、或いは頻繁に使用することで、多数の構成部材間の組み付け関節が損壊、或いは離脱し危険な状況が発生することを回避でき、該ケーブルウインチの使用寿命を延長することができる。
【考案の効果】
【０００９】
本考案のケーブルウインチでは、フック棒全体が単一のセグメントであるため、ケーブルウインチの使用過程で張力が過大、或いは頻繁に使用しても、多数の構成部材間の組み付け関節が損壊、或いは離脱して危険な状況が発生することを回避でき、ケーブルウインチの使用寿命を延長することができる。
【図面の簡単な説明】
【００１０】
【図１】本考案の立体図である。
【図２】本考案の局部拡大図である。
【図３】本考案の凸リブの断面図である。
【考案を実施するための形態】
【００１１】
以下に図面を参照しながら本考案を実施するための最良の形態について詳細に説明する。
【実施例】
【００１２】
図１に図２を合わせて示すように、本考案によるケーブルウインチは、ラチェット本体２を備える。
【００１３】
該ラチェット本体２は、２個の側板１１の間に枢設し、該ラチェット本体２は、ピボットにより、外へとアーム２１を設置する。
【００１４】
該ラチェット本体２には、ケーブル４の一端が固定して設置されて、巻き付き、該ケーブル４は、プーリーユニット５を巻回して通って第二板状フレーム中央部に固定され、該プーリーユニット５には、第二フック部材６を固定して設置する。
【００１５】
作業者が該アーム２１を操作して、該ラチェット本体２を回動することにより、該ケーブル４を巻き取り、第二フック部材６を固定したプーリーユニット５との間隔を短縮して引き寄せ、重量物を動かす、或いはケーブルを引っ張る過程の省力を図ることができる。
【００１６】
該ラチェット本体２と該アーム２１の詳細な構造及び作動過程は従来の技術に属するため、ここでは記載しない。
【００１７】
第一板状フレーム１２及び第二板状フレーム１３の両端は、該２個の側板１１にそれぞれ連接し、これにより該２個の側板１１及び該第一、第二板状フレーム１２、１３は取り囲んでフレーム１を形成する。
【００１８】
一実施形態では、該第一、第二板状フレーム１２、１３全体は、その両端部から中央部へと徐々に収斂するＵ形を呈する。
【００１９】
これにより、該フレーム１が比較的大きな引力を受けても、力を各板状フレームへと平均に分散し、該フレーム１変形の機会を減らすことができる。
【００２０】
該第一板状フレーム１２の中央部には、外向きに、第一フック部材３を設置し、しかも該第一フック部材３のフック棒３１全体は、単一のセグメントである。
【００２１】
該フック棒３１の欠口には、弾性ストッパー３２を設置し、これにより該第一フック部材３は、固定ケーブル或いはリングに掛けられ、ケーブル或いはリングの脱出を防止し、該ケーブルウインチを固定することができる。
【００２２】
該第一フック部材３のフック棒３１全体は、単一のセグメントであるため、該ケーブルウインチの使用過程で、張力が過大、或いは頻繁に使用することで、多数の構成部材間の組み付け関節が損壊し、或いは離脱して、危険な状況が発生することを回避でき、該ケーブルウインチの使用寿命を延長することができる。
【００２３】
一実施形態では、該第一板状フレーム１２の中央部には、平板部１２０を形成し、図に示すように、該平板部１２０は、２個の板体を相互に重ねて溶接して形成し、これにより強度がより高く、変形しにくい連接構造を形成する。
【００２４】
しかも、該第一フック部材３のフック棒３１基部は、該平板部１２０にリベット結合し、該第二フック部材６もまた同様にして、該プーリーユニット５の外枠５１にリベット結合される。
【００２５】
該第一フック部材３のフック棒３１基部は、該平板部１２０にリベット結合し、しかも該第二フック部材６はまた、該プーリーユニット５の外枠５１にリベット結合される。
【００２６】
これにより、該第一、第二フック部材３、６は、該フレーム１及び該プーリーユニット５の外枠５１と、それぞれ堅固な連接を形成し、しかも同時に３６０°回転を呈する。
【００２７】
これにより、該ケーブルウインチのケーブル４は使用時に、掛けた物の回転、或いは掛けて設置する方向の違いにより、相互に絡まり或いはねじれにくく、使用の過程がよりスムーズで安全となる。
【００２８】
図３に示すように、一実施形態では、該第一、第二板状フレーム１２、１３と該２個の側板１１の連接位置には、内から外へと突出する凸リブ１Ａをそれぞれ設置して補強する。
【００２９】
凸リブ１２は、該フレーム１の構造強度を高め、こうして該ケーブルウインチ全体が比較的大きな引張り力を受けても、該フレーム１は変形を生じ全体構造の損壊を招きにくくなる。
【００３０】
上記の本考案名称と内容は、本考案技術内容の説明に用いたのみで、本考案を限定するものではない。本考案の精神に基づく等価応用或いはいは部品（構造）の転換、置換、数量の増減はすべて、本考案の保護範囲に含むものとする。
【産業上の利用可能性】
【００３１】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００３２】
１  フレーム
１Ａ  凸リブ
１１  側板
１２  第一板状フレーム
１２０  平板部
１３  第二板状フレーム
２  ラチェット本体
２１  アーム
３  第一フック部材
３１  フック棒
３２  弾性ストッパー
４  ケーブル
５  プーリーユニット
５１  外枠
６  第二フック部材
【図１】
0003202439.tif 000003
【図２】
0003202439.tif 000004
【図３】
0003202439.tif 000005